(57)【特許請求の範囲】
【請求項１】
多数のコンタクトホールがグリッド状に形成されているベースハウジングと、ＰＧＡパッケージのピンを挿通可能とする多数のスルーホールがグリッド状に形成されており、前記ベースハウジングと重なり合うように配置されたカバーハウジングと、前記カバーハウジングを前記ベースハウジングに対してスライドさせるためのスライド機構と、前記ベースハウジングのコンタクトホールに設置されており、前記スライド機構による前記カバーハウジングのスライド動作によりＰＧＡパッケージのピンと接触する複数のコンタクトとを備えたＰＧＡソケットであって、
前記スライド機構は、棒状であり且つ回動可能であって径方向の外周面に段差部を有する操作部と、前記操作部の中心軸と異なる中心軸を有するように前記操作部の一端から連続して形成された棒状であり且つ前記操作部の回動に伴って前記カバーハウジングを前記ベースハウジングに対してスライドさせる方向に押圧する押圧部とを含んでいることを特徴とするＰＧＡソケット。
【請求項２】
前記段差部は、前記操作部の表面上における前記段差部とその周辺部との境界線が矩形をした凹部であることを特徴とする請求項１記載のＰＧＡソケット。
【請求項３】
前記段差部が、前記カバーハウジングのスライド方向と直交する方向に関して前記カバーハウジングの外側に形成されていることを特徴とする請求項１または２に記載のＰＧＡソケット。
【請求項４】
前記操作部及び前記押圧部の中心軸が、前記カバーハウジングのスライド方向と直交する方向に延在しており、
前記中心軸方向に関する前記押圧部の中心位置が、前記中心軸に関する前記カバーハウジングの中心位置と一致していることを特徴とする請求項１〜３のいずれか１項に記載のＰＧＡソケット。
【請求項５】
前記操作部及び前記押圧部が前記操作部を一端とした偏心部材内に形成されており、
前記偏心部材がその他端及び前記操作部において前記ベースハウジングに支持されていることを特徴とする請求項１〜４のいずれか１項に記載のＰＧＡソケット。
【請求項６】
前記偏心部材が、その両端部近傍を除く全域に亘って前記カバーハウジングによって被覆されていることを特徴とする請求項５に記載のＰＧＡソケット。
【発明の詳細な説明】
【０００１】
【発明の属する技術分野】
本発明は、複数のピンがグリッド状に設けられたＰＧＡ（Pin Grid Array）パッケージをプリント基板などに接続する際に利用されるＰＧＡソケットに関する。
【０００２】
【従来の技術】
デスクトップ型パーソナルコンピュータなどにおいて、複数のピンがグリッド状に設けられたＣＰＵ（Central Processing Unit）などのＰＧＡパッケージをプリント基板などに接続する際、例えば図６に示すようなＰＧＡソケット１００が利用されてきた。
【０００３】
図６に示す従来のＰＧＡソケット１００は、不図示のコンタクトホールがグリッド状に形成されたベースハウジング１０１と、ベースハウジング１０１のコンタクトホール内に保持された不図示のコンタクトと、ＰＧＡパッケージのピンが挿通可能なスルーホール１０２ａがグリッド状に形成されたカバーハウジング１０２と、ベースハウジング１０１に対してカバーハウジング１０２をスライドさせるスライド機構としての操作レバー１０３とを備えている。操作レバー１０３は作業者が持って上下方向に回動させる把手部分１０３ａを含むＬ字状をしている。そして、ＰＧＡソケット１００において、操作レバー１０３を上下方向に回動させることによって、ベースハウジング１０１に対してカバーハウジング１０２がスライドさせられ、ＰＧＡパッケージのピンとコンタクトが接触し、ＰＧＡパッケージとＰＧＡソケットが装着されたプリント基板が電気的に接続される。
【０００４】
【発明が解決しようとする課題】
上記従来のＰＧＡソケットを含むデスクトップ型コンピュータは低価格化が進んでおり、デスクトップ型コンピュータのさらなる低価格化を実現するためにＰＧＡソケットを含む部品の単価を安く抑えることが要望されている。しかしながら、上記従来のＰＧＡソケット１００はその要望に応えることができる程十分に単価が安いといえるものではなかった。また、上記従来のＰＧＡソケット１００はベースハウジング１０１に対してカバーハウジング１０２をスライドさせるためにあまり大きな力を必要としていないため、単価の安いＰＧＡソケットを提供する際に、従来のＰＧＡソケット１００と同様にベースハウジングに対してカバーハウジングをスライドさせるために大きな力を必要としないＰＧＡソケットにすることが望ましい。
【０００５】
本発明は、単価が安く、小さな力でベースハウジングに対してカバーハウジングをスライドさせることができるＰＧＡソケットを提供することを目的とする。
【０００６】
【課題を解決するための手段】
請求項１記載のＰＧＡソケットは、多数のコンタクトホールがグリッド状に形成されているベースハウジングと、ＰＧＡパッケージのピンを挿通可能とする多数のスルーホールがグリッド状に形成されており、前記ベースハウジングと重なり合うように配置されたカバーハウジングと、前記カバーハウジングを前記ベースハウジングに対してスライドさせるためのスライド機構と、前記ベースハウジングのコンタクトホールに設置されており、前記スライド機構による前記カバーハウジングのスライド動作によりＰＧＡパッケージのピンと接触する複数のコンタクトとを備えたＰＧＡソケットであって、前記スライド機構は、棒状であり且つ回動可能であって径方向の外周面に段差部を有する操作部と、前記操作部の中心軸と異なる中心軸を有するように前記操作部の一端から連続して形成された棒状であり且つ前記操作部の回動に伴って前記カバーハウジングを前記ベースハウジングに対してスライドさせる方向に押圧する押圧部とを含んでいることを特徴とする。
【０００７】
請求項１によれば、スライド機構の操作部の径方向の外周面に設けられた段差部に操作工具を嵌合させ、その操作工具を操作部との嵌合部分を中心として回動させることによって、操作工具の長さに応じた小さな力で操作部を回動させてベースハウジングに対してカバーハウジングをスライドさせることができる。また、スライド機構が操作部と押圧部を有するだけでカバーハウジングをベースハウジングに対してスライドさせることが可能であって操作レバーを設ける必要がないので、操作レバーの分だけＰＧＡソケットの単価を下げることができる。さらに、従来のＰＧＡソケット１００の操作レバー１００の把手部分１０３ａに相当する部分を有していないため、把手部分１０３ａがあった空間に部品を配置することができ、この結果、ＰＧＡソケットを備え付けるパーソナルコンピュータなどの各種機器の小型化を実現することができる。
【０００８】
請求項２記載のＰＧＡソケットは、前記段差部は、前記操作部の表面上における前記段差部とその周辺部との境界線が矩形をした凹部であることを特徴とする。請求項２によれば、ベースハウジングに対してカバーハウジングをスライドさせる操作工具としてほとんどの家庭や職場などにあるマイナスドライバーなどを利用することができ、この結果専用の工具を新たに用意する必要がなく、ＰＧＡソケットを含む各種機器の低価格化を実現することができる。
請求項３記載のＰＧＡソケットは、前記段差部が、前記カバーハウジングのスライド方向と直交する方向に関して前記カバーハウジングの外側に形成されていることを特徴とする。
請求項４記載のＰＧＡソケットは、前記操作部及び前記押圧部の中心軸が、前記カバーハウジングのスライド方向と直交する方向に延在しており、前記中心軸方向に関する前記押圧部の中心位置が、前記中心軸に関する前記カバーハウジングの中心位置と一致していることを特徴とする。
請求項５記載のＰＧＡソケットは、前記操作部及び前記押圧部が前記操作部を一端とした偏心部材内に形成されており、前記偏心部材がその他端及び前記操作部において前記ベースハウジングに支持されていることを特徴とする。
請求項６記載のＰＧＡソケットは、前記偏心部材が、その両端部近傍を除く全域に亘って前記カバーハウジングによって被覆されていることを特徴とする。
【０００９】
【発明の実施の形態】
以下、本発明の好適な一実施の形態について、図面を参照しつつ説明する。
【００１０】
本発明の実施の形態に係るＰＧＡソケットについて、図１から図５を参照して説明する。
まず、本発明の実施の形態に係るＰＧＡソケットの構成について図１から図３を参照して説明する。但し、図１はＰＧＡソケットの概略を示す分解斜視図である。図２はＰＧＡソケットの概略を示す斜視図であり、（ａ）はスライド前の状態を示しており、（ｂ）はスライド後の状態を示している。図３はコンタクトを含むベースハウジングの概略を示す一部斜視図である。
【００１１】
図１および図２に示す本実施の形態に係るＰＧＡソケット１は、ベースハウジング２と、ベースハウジング２と重なり合うように配置されるカバーハウジング３と、複数のコンタクト４と、偏心部材５とから構成されている。なお、コンタクト４は導電性材料から造られており、ベースハウジング２とカバーハウジング３は非導電性材料から造られている。
【００１２】
ベースハウジング２は、上下に貫通した複数のコンタクトホール２１がグリッド状に形成されたほぼ平板状をしたコンタクトホール部２ａと、コンタクトホール部２ａの一側面から連続して形成され、その厚みがコンタクトホール部２ａより小さいほぼ平板状をした偏心部材保持部２ｂとが一体となって形成されている。また、偏心部材保持部２ｂのコンタクトホール部２ａと反対側の両端部には上方向に延在したほぼ直方体形状をした突出部２２ａ、２２ｂが夫々存在する。
【００１３】
ベースハウジング２のコンタクトホール部２ａに形成されたコンタクトホール２１は断面形状がほぼ正方形をしており、図３に示すようにコンタクトホール２１の対向した一対の側面端部に凹部２１ａ、２１ｂが形成されている。なお、誤挿入防止のため一部２１ｃにはコンタクトホール２１は形成されていない。
【００１４】
また、ベースハウジング２のコンタクトホール部２ａには、一対の側面に夫々２つの突出部２３（片側のみ図示）が設けられている。突出部２３は、図１に示すように、カバーハウジング３の後述する開口部３３に挿嵌される。これによって、ベースハウジング２とカバーハウジング３とが容易に外れることが防止される。
【００１５】
カバーハウジング３は、上下に貫通した複数のスルーホール３１がグリッド状に形成された平板状のスルーホール部３ａと、スルーホール部３ａの一端から連続して形成された偏心部材保持部３ｂとが一体となって形成されている。偏心部材保持部３ｂの下面（ベースハウジング２と対向する面）には、一の側面から当該一の側面と対向する側面にまで続く凹部３２が形成されており、この凹部３２はＰＧＡソケット１の組み立て後に偏心部材５がＰＧＡソケット１から外れるのを防ぐため、中央部を含む領域でスルーホール部３ａ側に折り曲がっている。そして、凹部３２は、偏心部材５の受け部となるものである。この凹部３２の寸法は、偏心部材５を収納することができるとともに、偏心部材５の後述する偏心部５２が凹部３２の内壁を押すことによってＰＧＡパッケージのピンがコンタクト４に接触する位置までベースハウジング２に対してカバーハウジング３をスライドさせることが可能な寸法である。また、偏心部材保持部３ｂのスルーホール部３ａと反対側の両端部にはほぼ直方体形状をした切り欠き３５ａ、３５とが設けられている。
【００１６】
カバーハウジング３のスルーホール部３ａに形成されたスルーホール３１は断面形状がほぼ円形をしており、誤挿入防止のため一部３１ｃにはスルーホール３１は形成されていない。
【００１７】
また、カバーハウジング３には、下方向に延在した一対の延在部３４が形成されている。延在部３４の夫々にはほぼ長方形をした二つの開口部３３（片側のみ図示）が設けられている。開口部３３の夫々の高さ（縦）方向の寸法は、カバーハウジング３がベースハウジング２に対して上下方向にがたつくのを抑制できるように、ベースハウジング２の突出部２３が挿入できる寸法とほぼ同じになっている。また、開口部３３の夫々の横方向の寸法は、カバーハウジング３のベースハウジング２に対するスライド動作によりＰＧＡパッケージのピンとコンタクト４とが接触状態と非接触状態とになることができるように、突出部２３の横方向の寸法よりも大きくなっている。
【００１８】
コンタクト４は、平板状のベース部４１と、ベース部４１とほぼ同じ方向に延在するようにベース部４１の一端に連続して設けられた一対の突出部４２ａ、４２ｂと、ベース部４１と対向するようにベース部４１の一端に連続して設けられた折り返し部４３と、先端側の面４４ａがベース部４１の面とほぼ垂直となるようにベース部４１の他端に連続して設けられたテイル部４４とからなる。
【００１９】
圧入部として機能する突出部４２ａ、４２ｂは、夫々、ベースハウジング２に形成されたコンタクトホール２１内の凹部２１ａ、２１ｂ内に圧入され、これによって、コンタクト４がベースハウジング２に保持されることになる。また、接点部として機能する折り返し部４３は、ベース部４１とは反対側に突出した接触部４３ａが設けられるように鈍角に折り曲げられており、接触部４３ａはＰＧＡパッケージのピンと接触する部分である。さらに、半田付け部として機能するテイル部４４は、ＰＧＡソケット１を基板に装着するために半田付けされる部分である。
【００２０】
上述したコンタクト４の折り返し部４３はベース部４１のテイル部４４と反対側の端部から折り曲げることにより形成されているため、フラックスがコンタクト４の折り返し部４３の接触部４３ａに付着しづらく、接触部４３ａにフラックスが付着することにより生じるコンタクト４とＰＧＡパッケージのピンとの電気的な接触不良が生じにくく、ＰＧＡソケットを含む製品の歩留まりが向上する。
【００２１】
偏心部材５は、スライド機構を構成する主要部材であって、ほぼ円柱状の第１軸部（操作部）５１と、第１軸部５１の中心軸と異なる中心軸を有するように第１軸部５１の一端から連続して形成されたほぼ円柱状をした偏心部（押圧部）５２と、第１軸部５１と同じ形状を有し且つ第１軸部５１の中心軸と同じ中心軸を有するように偏心部５２の一端から連続して形成された第２軸部５３とから形成されている。そして、第１軸部５１の径方向の外周面には、第１軸部５１の中心軸方向に沿って凹部（段差部）５１ａが設けられており、第１軸部５１の外周面上における凹部５１ａとその周辺部との境界線が矩形である。この凹部５１ａはマイナスドライバーの先端など工具の受け部となる部分である。偏心部材５はカバーハウジング３の偏心部材保持部３ｂに形成された凹部３２に保持されている。
【００２２】
次に、偏心部材５の偏心部５２の動作について図４を参照しつつ説明する。但し、図４はＰＧＡソケットに備えられている偏心部材５の動作を説明するための説明図であり、４（ａ）は上面の概略図であり、（ｂ）は正面の概略図である。尚、図４中実線は偏心部材５の動作前の状態を示しており、図４中点線は偏心部材５の動作後の状態を示している。
【００２３】
偏心部材５の凹部５１ａにマイナスドライバーの先端を差し込み、図４（ａ）中矢印Ｃ方向に９０度回転させると、図４（ａ）、（ｂ）に示すように、第１軸部５１および第２軸部５３が回転するだけで位置はずれないが、偏心部５２の軸中心は円を描くようにして移動し、偏心部５２の位置は９０度ずれる。
【００２４】
さらに、カバーハウジング３が偏心部材５の動作によってベースハウジング２に対してスライドさせられる様子について図５を参照しつつ説明する。但し、図５はＰＧＡソケットのスライド前後の状態を説明する説明図である。尚、図５中実線はスライド前の状態を示しており、図５中点線はスライド後の状態を示している。また、カバーハウジング３をベースハウジング２に対してスライドさせる前に、予めＰＧＡパッケージのピンが、カバーハウジング３、ベースハウジング２およびコンタクト４に接触することなく、コンタクト４の折り返し部４３と対向する位置にまでカバーハウジング３のスルーホール３１を介して挿入されている。
【００２５】
スライド前においては、偏心部材５の偏心部５２が、図５に示すようにベースハウジング２のコンタクトホール部２ａおよびカバーハウジング３のスルーホール部３ａ側に位置するように配置されている。
この状態でマイナスドライバーの先端を偏心部材５の凹部５１ａに差し込み、図２中矢印Ａ１方向に９０度回動させると、上述したように偏心部材５の偏心部５２は円を描きながら移動し、この移動中にカバーハウジング３の凹部３２の内壁と接触してそれ以降その内壁を図５中矢印Ａ３方向に押す。これによって、カバーハウジング３はベースハウジング２に対して図２中矢印Ａ２方向（図５中矢印Ａ３方向）へスライドする。
【００２６】
尚、カバーハウジング３のスライド中にカバーハウジング３のスルーホール３１の内壁がＰＧＡパッケージのピンと接触し、ピンはカバーハウジング３のスルーホール３１の内壁によって押されることにより図５中矢印Ａ３方向に移動し、ピンはコンタクトと接触することになる。
【００２７】
上述したように、本実施の形態に係るＰＧＡソケットによれば、第１軸部（操作部）５１の径方向の外周面に設けられた凹部（段差部）５１ａにマイナスドライバーを嵌合させ、そのマイナスドライバーを凹部５１ａとの嵌合部分を中心として回動させることによって、マイナスドライバーの長さに応じた小さな力で偏心部材を回動させてベースハウジング２に対してカバーハウジング３をスライドさせることができる。また、第１軸部５１および第２軸部５３の回動軸がピンと直交するように偏心部材５が配置されているので、ＰＧＡソケット１が取り付けられた基板の上方（比較的空間に余裕があることが多い）においてマイナスドライバーを回動させることでき、マイナスドライバーを回動させやすい。
【００２８】
また、スライド機構を構成する主要部材である偏心部材５が、従来のＰＧＡソケット１００の操作レバー１０３の把手部分１０３ａを有していない構造をしているためＰＧＡソケットの単価を低く抑えることができる。さらに、従来のＰＧＡソケット１００の操作レバー１０３の把手部分１０３ａに相当する部分を有しないため、把手部分１０３ａがあった空間に部品を配置することができ、この結果、ＰＧＡソケットを備え付けるパーソナルコンピュータなどの各種機器の小型化を実現することができる。
【００２９】
さらに、凹部５１ａは第１軸部５１の外周面上における凹部５１ａとその周辺部との境界線が矩形をした凹部であるため、操作工具としてほとんどの家庭や職場などにあるマイナスドライバーなどを利用することができ、この結果、専用の操作工具を用意する必要がなく、ＰＧＡソケット１を含む各種機器の低価格化を実現することができる。
【００３０】
以上、本発明の好適な実施の形態について説明したが、本発明は上述の実施の形態に限られるものではなく、特許請求の範囲に記載した限りにおいて様々な設計変更が可能なものである。例えば、偏心部材５の第１軸部５１に設けた凹部５１ａの形状を矩形状としたが、凹部の形状を十字状にしてマイナスドライバーの代わりにプラスドライバーを利用するようにしてもよい。また、凹部の代わりに若干突出した凸部を設けてレンジを利用するようにしてもよい。さらに、コンタクト４として既に知られているコンタクトなど種々のものを利用することができる。さらに、偏心部材５の構造として、第２軸部５２を設けずに第１軸部５１と偏心部５２のみの片持ち構造にしてもよい。さらに、第１軸部（操作部）５１と偏心部（押圧部）５２とが別部材で構成されており、偏心部５２は第１軸部５１の回動に伴ってカバーハウジング２をベースハウジング３に対してスライドさせるようなものであってもよい。
【００３１】
【発明の効果】
請求項１によると、スライド機構の操作部の径方向の外周面に設けられた段差部に操作工具を嵌合させ、その操作工具を操作部との嵌合部分を中心として回動させることによって、操作工具の長さに応じた小さな力で操作部を回動させてベースハウジングに対してカバーハウジングをスライドさせることができる。また、スライド機構が操作部と押圧部を有するだけでカバーハウジングをベースハウジングに対してスライドさせることが可能であって操作レバーを設ける必要がないので、操作レバーの分だけＰＧＡソケットの単価を下げることができる。さらに、従来のＰＧＡソケット１００の操作レバー１００の把手部分１０３ａに相当する部分を有していないため、把手部分１０３ａがあった空間に部品を配置することができ、この結果、ＰＧＡソケットを備え付けるパーソナルコンピュータなどの各種機器の小型化を実現することができる。
【００３２】
請求項２によると、ベースハウジングに対してカバーハウジングをスライドさせる操作工具としてほとんどの家庭や職場などにあるマイナスドライバーなどを利用することができ、この結果専用の工具を新たに用意する必要がなく、ＰＧＡソケットを含む各種機器の低価格化を実現することができる。
【図面の簡単な説明】
【図１】本発明の実施の形態に係るＰＧＡソケットの概略を示す分解斜視図である。
【図２】図１に示したＰＧＡソケットの概略を示す斜視図である。
【図３】図１に示したコンタクトを含むベースハウジングの概略を示す一部斜視図である。
【図４】図１に示したＰＧＡソケットに備えられている偏心部材５の動作を説明するための説明図である。
【図５】図１に示したＰＧＡソケットのスライド前後の状態を説明する説明図である。
【図６】従来のＰＧＡソケットの概略を示す斜視図である。
【符号の説明】
１  ＰＧＡソケット
２  ベースハウジング
２１  コンタクトホール
３  カバーハウジング
３１  スルーホール
３２  凹部
４  コンタクト
５  偏心部材
５１  第１軸部（操作部）
５１ａ  凹部（段差部）
５２  偏心部（押圧部）
５３  第２軸部
【図１】
0003714535.tif 000002
【図２】
0003714535.tif 000003
【図３】
0003714535.tif 000004
【図４】
0003714535.tif 000005
【図５】
0003714535.tif 000006
【図６】
0003714535.tif 000007